(57)【要約】【課題】  光源の劣化を抑制する。【解決手段】  ＲＯＭ１０３の不揮発性メモリには、指定された時刻に電源オン・オフを含む所定の動作を行うスケジュール情報と、投影部１０４の光源（ランプ１２２）のオン・オフ回数及び点灯時間を含む光源情報が格納される。ＣＰＵ１０１は、スケジュール情報またはユーザ操作による電源オフ操作に対し、スケジュール情報及び光源情報に従い、ランプ１２２のオン・オフ回数に基づく第１の寿命値とランプ１２２の点灯時間に基づく第２の寿命値とを算出する。そして、ＣＰＵ１０１は、第１の寿命値が第２の寿命値よりも小さい場合に電源オフ操作に基づくランプ１２２の消灯を抑制し、第１の寿命値が第２の寿命値以上の場合に、ランプ１２２を消灯する。【選択図】  図１
2019032457.tif 000002
【特許請求の範囲】
【請求項１】
光源の出力光により画像を投影する投影装置であって、
指定された時刻に電源オン・オフを含む所定の動作を行うスケジュール情報と、前記光源のオン・オフ回数及び点灯時間を含む光源情報とを記憶する記憶手段と、
電源オフ操作に従い前記光源を制御する制御手段であって、前記スケジュール情報及び前記光源情報に従い、前記光源のオン・オフ回数に基づく第１の寿命値と前記光源の点灯時間に基づく第２の寿命値とを算出し、前記第１の寿命値が前記第２の寿命値よりも小さい場合に前記電源オフ操作に基づく前記光源の消灯を抑制し、前記第２の寿命値が前記第１の寿命値以下の場合に、前記光源を消灯する制御手段
とを有することを特徴とする投影装置。
【請求項２】
更に、前記スケジュール情報に従い前記電源オフ操作を出力する手段を有することを特徴とする請求項１に記載の投影装置。
【請求項３】
更に、ユーザ操作により前記電源オフ操作を入力する操作手段を有することを特徴とする請求項１または２に記載の投影装置。
【請求項４】
前記制御手段は、前記第１の寿命値が前記第２の寿命値よりも小さい場合に前記電源オフ操作に対して前記光源の出力光の輝度を低下させ、前記光源の出力光を受ける光変調素子を非表示状態に制御することを特徴とする請求項１から３のいずれか１項に記載の投影装置。
【請求項５】
前記制御手段は、電源オン操作に対して前記光源の出力光の輝度を回復し、前記光変調素子を表示状態に制御することを特徴とする請求項４に記載の投影装置。
【請求項６】
前記制御手段は、前記光源の寿命優先か明るさ優先の設定において前記明るさ優先が選択されている場合に、前記電源オフ操作に対する前記光源の出力光の輝度の低下を抑制することを特徴とする請求項４または５に記載の投影装置。
【請求項７】
前記光源がランプであることを特徴とする請求項１から６のいずれか１項に記載の投影装置。
【請求項８】
前記制御手段は、下記式により前記第１の寿命値及び前記第２の寿命値を算出することを特徴とする請求項１から７のいずれか１項に記載の投影装置。
第１の寿命値＝（Ｘｍａｘ−Ｘ）／（１日のオン・オフ操作回数）
第２の寿命値＝（Ｔｍａｘ−Ｔ）／（１日のランプ総点灯時間）
ただし、Ｘｍａｘは前記光源のオン・オフ操作寿命回数、Ｔｍａｘは前記光源の輝度低下寿命時間、Ｘは、使い始めてからの前記光源のオン・オフＯＦＦ操作回数、Ｔは光源の総点灯時間である。
【請求項９】
光源の出力光により画像を投影する投影装置を制御する方法であって、
前記光源のオン・オフ回数及び点灯時間を含む光源情報を記憶する記憶ステップと、
電源オフ操作に対し、指定された時刻に電源オン・オフを含む所定の動作を行うスケジュール情報と、前記光源情報とに従い、前記光源のオン・オフ回数に基づく第１の寿命値と前記光源の点灯時間に基づく第２の寿命値とを算出するステップと、
前記第１の寿命値が前記第２の寿命値よりも小さい場合に前記電源オフ操作に基づく前記光源の消灯を抑制し、前記第２の寿命値が前記第１の寿命値以下の場合に、前記光源を消灯するステップ
とを有することを特徴とする投影装置の制御方法。
【発明の詳細な説明】
【技術分野】
【０００１】
本発明は、投影装置及びその制御方法に関する。
【背景技術】
【０００２】
近年、会議スペースや教室などで投影装置（いわゆるプロジェクタ）を用いて資料を投影することが一般的になっている。プロジェクタには、内部に時計を備え、予定された時刻に所定の動作、例えば電源オン／オフなどの操作を自動的に行う機能（以降、「スケジュール機能」と呼ぶ）を備えたものがある。
【０００３】
一方、プロジェクタに使用される光源としてのランプは、点灯時間の経過に比例して次第に暗くなるという特性がある。また、点灯と消灯を繰り返すと寿命が短くなるという特性がある。そのため、短時間に点灯と消灯を繰り返す動作は好ましくない。しかし、プロジェクタが電子看板、いわゆるデジタルサイネージに使われる場合、表示すべき画像の配信システムの都合等により、短期間で光源ランプのオン・オフを強要されてしまうことがある。
【０００４】
短時間の点灯と消灯を回避するために、特許文献１には、ユーザがオフ操作を実行した時刻と、この後に予定されるオン操作の時刻との間隔が所定の時間内であった場合、電源オンを保留するメッセージを表示する技術が開示されている。
【０００５】
特許文献２には、ユーザによるオフ操作からこの後に予定されるオン操作との間の時間間隔が所定時間内であった場合、ランプオフを実行せずに、ランプの輝度を低下させる技術が開示されている。
【先行技術文献】
【特許文献】
【０００６】
【特許文献１】特開２０１５−０５０６７６号公報
【特許文献２】特開２００７−１７８６３６号公報
【発明の概要】
【発明が解決しようとする課題】
【０００７】
特許文献１に記載の技術では、電源オフを保留するメッセージは表示されるが、ユーザによる電源オフ操作は実行可能である。そのため、短時間の点灯と消灯が行われてしまい、ランプの寿命を縮めてしまう。
【０００８】
特許文献２に記載の技術では、電源オフ操作に続くオン操作が所定時間内であるかどうかを判断しているので、ランプのオフ時間によっては、ランプのオフ操作が行われてしまう。この技術でも、短時間の点灯と消灯が行われてしまい、ランプの寿命を縮めてしまう。
【０００９】
投影装置の光源としては、ランプ以外に半導体レーザまたは発光ダイオード等の半導体光源もありうるが、これらの光源の場合にも、程度の差はあれ、ランプと同様の問題が存在する。
【００１０】
本発明は上記の問題点に鑑み、スケジュール機能を搭載した投影装置であって、予定された時刻の光源オフ操作を抑制し、光源の長寿命化を図ることができる投影装置及びその制御方法を提示することを目的とする。
【課題を解決するための手段】
【００１１】
かかる目的を達成するために、本発明に係る投影装置は、光源の出力光により画像を投影する投影装置であって、指定された時刻に電源オン・オフを含む所定の動作を行うスケジュール情報と、前記光源のオン・オフ回数及び点灯時間を含む光源情報とを記憶する記憶手段と、電源オフ操作に従い前記光源を制御する制御手段であって、前記スケジュール情報及び前記光源情報に従い、前記光源のオン・オフ回数に基づく第１の寿命値と前記光源の点灯時間に基づく第２の寿命値とを算出し、前記第１の寿命値が前記第２の寿命値よりも小さい場合に前記電源オフ操作に基づく前記光源の消灯を抑制し、前記第２の寿命値が前記第１の寿命値以下の場合に、前記光源を消灯する制御手段とを有することを特徴とする。
【発明の効果】
【００１２】
本発明によれば、スケジュール機能を搭載した投影装置において、光源の長寿命化を図ることができる。
【図面の簡単な説明】
【００１３】
【図１】本発明の一実施例の概略構成ブロック図である。
【図２】週間スケジュールの内容例を示す模式図である。
【図３】本実施例の電源オフ操作に対する光源制御のフローチャートである。
【図４】点灯時間に対する輝度低下の傾向を示すグラフ図である。
【発明を実施するための形態】
【００１４】
以下、図面を参照して、本発明の実施例を詳細に説明する。ただし、本発明は以下の実施の形態に限定されない。また、この発明の実施の形態は発明の好ましい形態を示すものであり、発明の範囲を限定するものではない。
【実施例１】
【００１５】
図１は、本発明に係る投影装置の一実施例の概略構成ブロック図を示す。
【００１６】
図１に示す投影装置１００は、ＣＰＵ１０１、ＲＡＭ１０２、ＲＯＭ１０３、投影部１０４、投影制御部１０５、ＶＲＡＭ１０６、操作部１０７、ネットワークＩＦ１０８及び計時部１０９を有する。１１０は各ブロック１０１〜１０９を接続する内部バスである。
【００１７】
ＣＰＵ１０１は、投影装置１００の各動作ブロックの制御を行う。
【００１８】
ＲＡＭ１０２は、ワークメモリとして一時的に制御プログラム及びデータを格納する。
【００１９】
ＲＯＭ１０３は、ＣＰＵ１０１の処理手順を記述した制御プログラムを記憶する。ＲＯＭ１０３は不揮発性メモリからなる記憶手段を含み、ユーザが指定したスケジュール情報（時刻、予約実行された操作など）も、ＲＯＭ１０３の不揮発性メモリに格納される。
【００２０】
投影部１０４は、投影制御部１０５によって指示された画像を図示しないスクリーンに光学的に投影する。投影部１０４は、液晶パネル１２０、投影レンズ１２１、及び、光源としてのランプ１２２から構成される。液晶パネル１２０は、ランプ１２２の出力光の強度を空間的に変調する光変調素子である。ランプ１２２の出力光が液晶パネル１２０により強度変調されることで、投影すべき画像が生成される。投影レンズ１２１が、その画像をスクリーンに投影する。
【００２１】
投影制御部１０５は、ＶＲＡＭ１０６に格納された画像データを読み出し、投影部１０４の液晶パネル１２０に対応する画像を表示させ、投影部１０４のランプ１２２のオン・オフ及び輝度を制御する。
【００２２】
ＶＲＡＭ１０６は、投影部１０４で投影すべき画像の画像データを格納する。
【００２３】
操作部１０７はユーザの操作を受け付け、ユーザ操作に応じた指示信号をＣＰＵ１０１に送信する。操作部１０７は例えば、スイッチ及びダイヤル等から成る。操作部１０７はまた、不図示のリモコンからの操作信号を受信し、受信した操作信号に対応した指示信号をＣＰＵ１０１に送信する。
【００２４】
ネットワークＩＦ１０８は、外部機器とネットワークを介して通信する通信手段である。
【００２５】
計時部１０９は、内蔵バッテリとリアルタイムクロックから構成され、時刻を計時する。計時部１０９は、内蔵バッテリにより動作するので、投影装置１００の電源オン・オフのいずれの状態でも、計時を行うことが可能である。ＣＰＵ１０１は、システムバス１１０を介して計時部１０９から日付、日時及び曜日といった現在時刻情報を取得する。
【００２６】
図２を参照して、投影装置１００のスケジュール機能を説明する。図２は、スケジュール機能によってＲＯＭ１０３の不揮発性メモリに記憶される操作内容の一例をカレンダー形式で示す模式図である。登録されるスケジュールには、曜日、時刻、電源オン／オフ及び入力切り替えなどの操作情報が含まれている。図２に示す例で月曜日には、９時に電源オン操作、１３時にＤＶＩ入力への切り替え、１４時にアナログ入力への切り替え、１７時に電源オフ操作が行われるというスケジュールが登録されている。
【００２７】
ＣＰＵ１０１は、ＲＯＭ１０３に記憶されているこれらのスケジュールと、計時部１０９から取得される時間を用いて、予定されているスケジュールの操作を実行する。具体的には、ＣＰＵ１０１は１分間隔で、計時部１０９から現在時刻を取得し、ＲＯＭ１０３に記録されているスケジュールを確認し、スケジュールの時刻と現在時刻が一致していたらスケジュールに登録されている操作を実行する。
【００２８】
図２は週間スケジュールを例示するが、ＣＰＵ１０１はこの週間スケジュールを毎週実行する。週間スケジュール以外にも、日付指定のスケジュールも登録可能である。これらのスケジュールは、投影面に表示されるＧＵＩ、または、投影装置１００に搭載されたＷＥＢサーバが提供するＷＥＢページから登録可能である。
【００２９】
図３を参照して、電源オフ時の動作を説明する。図３に示す処理を実現する制御プログラムがＲＯＭ１０３に格納されている。ＣＰＵ１０１は、ＲＯＭ１０３からその制御プログラムを読み込み実行することで、図３に示す処理を実現する。
【００３０】
Ｓ３０１で、ＣＰＵ１０１は、電源オフ操作を監視する。ここで監視される電源オフ操作には、操作部１０７によるユーザの電源オフ操作と、ＲＯＭ１０３に格納されているスケジュールによる電源オフ操作がある。ＣＰＵ１０１は、ユーザによる電源オフ操作またはスケジュールによる電源オフ操作がなされるまで、Ｓ３０１を繰り返し、電源オフ操作を検知すると、Ｓ３０２に進む。
【００３１】
Ｓ３０２で、ＣＰＵ１０１は、電源オフ操作がスケジュール機能によるオフ操作か否かを判定する。電源オフ操作がユーザ操作によるものであった場合、Ｓ３１０で、ＣＰＵ１０１は、投影制御部１０５を介して投影部１０４のランプ１２２を消灯させ、投影処理を終了する。電源オフ操作がスケジュール機能によるものであった場合、ＣＰＵ１０１は、Ｓ３０３に進む。
【００３２】
Ｓ３０３で、ＣＰＵ１０１は、ＲＯＭ１０３の不揮発性メモリに登録されているスケジュール情報とランプ情報（光源情報）を取得する。スケジュール情報は具体的には、電源オフ操作より前の電源オン期間の時間、電源オフ期間の時間、次回の電源オン期間の時間の３つ時間情報からなる。これらの時間に関して、図２に示す例で、水曜日１２時の電源オフ操作を例に説明する。図２に示す例で、水曜日１２時の電源オフ操作では、８：００〜１２：００までの電源オン期間の時間（４時間）、１２：００〜１３：００までの電源オフ期間の時間（１時間）、及び次回の電源オン期間の時間（４時間）の３つの時間情報が取得される。ランプ情報は具体的には、ランプ交換で使い始めてからのランプ１２２のオン・オフ操作を行った回数（以降、Ｘ回とする）と、ランプ１２２の総点灯時間（以降、Ｔ時間とする）からなる。
【００３３】
Ｓ３０３に続くＳ３０４で、ＣＰＵ１０１は、Ｓ３０３で得られた情報を元に、電源オフ操作を行った場合にランプ１２２の推定寿命値（あと何日、使用出来るかの推定値）を算出する。
【００３４】
ランプ１２２の推定寿命値の算出方法を説明する。投影装置の光源として利用される水銀ランプはオン・オフ操作の繰り返し回数が増えると、破損しやすくなり、不点灯となる確率が高まっていく。よって、ランプの不要なオン・オフ操作を極力抑える事が望まれる。以降の説明では、ランプのオン・オフ操作により寿命を迎えるオン・オフ操作回数をＸｍａｘとする。一方、図４に示すように、水銀ランプは、長時間の点灯によって輝度が低下していくという性質を持つ。図４で、横軸は点灯時間、縦軸は輝度（相対値）を示す。よって、不要な点灯を極力抑える事も望まれる。以降の説明では、輝度が所定値以下となり、使用に耐えられなくなるまでの時間を、輝度低下寿命時間Ｔｍａｘとする。
【００３５】
Ｓ３０４で、ＣＰＵ１０１は、下記式（１）、（２）により、使用中のランプ１２２に対して、オン・オフ操作寿命回数に関する推定寿命値と、点灯時間に関する推定寿命値を算出する。すなわち、
（Ｘｍａｘ−Ｘ）／（１日のオン・オフ操作回数）      （１）
（Ｔｍａｘ−Ｔ）／（１日のランプ総点灯時間）          （２）
ただし、Ｘｍａｘは上述の通り、使用中のランプ１２２のオン・オフ操作寿命回数であり、Ｔｍａｘは輝度低下寿命時間である。Ｘは、ランプ交換を行ってからのランプ１２２のオン・オフＯＦＦ操作回数、Ｔは、ランプ１２２の総点灯時間である。
【００３６】
ＣＰＵ１０１は、式（１）、（２）で得られた推定寿命値のうち、より小さいものをランプ１２２の推定寿命値とする。例えば、図２に示す例で、水曜日の投影スケジュールを例に挙げると、１日のオン・オフ操作回数は２回、１日のランプ総点灯時間は８時間である。従って、式（１）による推定寿命値は（Ｘｍａｘ−Ｘ）／２となり、式（２）による推定寿命値は（Ｔｍａｘ−Ｔ）／８となる。ＣＰＵ１０１は、ランプ１２２の推定寿命値として、（Ｘｍａｘ−Ｘ）／２と（Ｔｍａｘ−Ｔ）／８のうち、より小さい値を採用する。
【００３７】
Ｓ３０５で、ＣＰＵ１０１は、電源オフを抑制した場合のランプ１２２の推定寿命値を、Ｓ３０４と同様の手順で算出する。図２に示す例で、水曜日の１２時の電源オフを例に挙げると、１２〜１３時の電源オフを抑制した場合、１日のオン・オフ操作回数は１回、１日の総点灯時間は９時間となる。式（１）による推定寿命値は（Ｘｍａｘ−Ｘ）となり、式（２）による推定寿命値は（Ｔｍａｘ−Ｔ）／９となる。ＣＰＵ１０１は、ランプ１２２の推定寿命値として、（Ｘｍａｘ−Ｘ）、と（Ｔｍａｘ−Ｔ）／９のうち、より小さい値を採用する。
【００３８】
Ｓ３０６で、ＣＰＵ１０１は、Ｓ３０４とＳ３０５で算出したランプ１２２の推定寿命値を比較する。Ｓ３０５で算出した推定寿命値がＳ３０４で算出した推定寿命値以下の場合（Ｓ３０６）、Ｓ３１０で、ＣＰＵ１０１は、投影制御部１０５を介して投影部１０４のランプ１２２を消灯し、図３に示す投影処理を終了する。
【００３９】
Ｓ３０５で算出した推定寿命値がＳ３０４で算出した推定寿命値より大きい場合（Ｓ３０６）、Ｓ３０７で、ＣＰＵ１０１は、投影制御部１０５を介してランプ１２２への印加電圧を下げ、液晶パネル１２０を非表示状態に変更する。この制御により、投影光を極力少ない状態にする事ができ、電源オフ状態に極力近い状態にすることができる。また、一般的にランプに印加する電圧を低くすると、ランプの輝度低下を抑えることができる。このように電源オフを模擬している期間では、ランプ１２２への印加電圧を抑えることにより、ランプ１２２の消耗を抑制できる。ランプ１２２の光量を落とす別の手段、例えば、アイリスや輝度変調パネルなどがある場合、これらを操作して投影光の輝度をさらに落とすようにしても良い。
【００４０】
Ｓ３０８で、ＣＰＵ１０１はＲＯＭ１０３に格納されている次回の電源オン予定時刻と、計時部１０９から取得した現在時間とを比較し、電源オン予定時刻になるのを待機する。この時、ＣＰＵ１０１は、操作部１０７を使ったユーザによる電源オン操作の有無も監視する。
【００４１】
電源オン予定時刻になるか、ユーザによる電源オン操作があると（Ｓ３０８）、Ｓ３０９で、ＣＰＵ１０１は、投影制御部１０５を介して投影部１０４のランプ１２２の輝度を回復し、液晶パネル１２０を表示状態に戻すことで、画像表示状態にする。
【００４２】
上記説明では、Ｓ３０６でランプ１２２の推定寿命値を判定し、Ｓ３０７で電源オフを抑制するとしたが、Ｓ３０７の操作を行っている間は、ランプ１２２の輝度が低下していく。Ｓ３０７の処理によってランプ１２２の輝度が低下していく事を好ましく思わないユーザに対しては、さらに別の指標も加えてＳ３０７の実施の可否を判定するようにしても良い。例えば、投影装置１００にランプ１２２の寿命優先か明るさ優先といった設定値を設け、明るさ優先の場合に、Ｓ３０７の操作を行わないように構成しても良い。このようにすることによって、ランプ１２２の寿命を優先するか、明るさを優先するかをユーザに選択させる事が可能となる。
【００４３】
ランプ１２２を光源とする実施例を説明したが、本発明は、投影装置の光源として半導体レーザまたは発光ダイオード等の半導体光源も採用する構成にも適用可能である。
【００４４】
投影装置１００内にスケジュール機能やランプのＯＦＦ操作の抑制を行う仕組みが搭載されている構成を説明したが、投影装置１００の制御機能を外部の制御装置に配置し、外部から投影装置の動作制御するように構成しても良い。例えば、ＰＣ上で動作するアプリケーションにプロジェクタの電源オン・オフなどのスケジュール機能を実装し、ＰＣから例えばネットワークなどを介して投影装置を制御することで、同様の処理を実現しても良い。この場合、投影装置の光源のオン・オフ回数及び総点灯時間をＰＣ上のアプリケーションで管理するように構成しても良い。または、前述したように投影装置でこれらの値を管理し、ＰＣ上のアプリケーションから、例えばネットワークなどを介してこれらの値を取得できるように構成しても良い。このように構成することによって、投影装置の外部から制御して、投影装置の光源の長寿命化を図る事が可能となる。
【００４５】
本実施例では、光源のオン・オフ回数に基づく寿命推定値と、輝度低下による寿命推定値を比較し、後者が大きい場合に光源のオフ操作を抑制することで、光源の長寿命化を図る事ができる。
【００４６】
本発明の目的は、前述した実施形態の機能を実現するソフトウェアのプログラムコードを記録した記憶媒体を、装置に供給することによっても、達成されることは言うまでもない。このとき、供給された装置の制御部を含むコンピュータ（またはＣＰＵやＭＰＵ）は、記憶媒体に格納されたプログラムコードを読み出し実行する。
【００４７】
この場合、記憶媒体から読み出されたプログラムコード自体が前述した実施形態の機能を実現することになり、プログラムコード自体及びそのプログラムコードを記憶した記憶媒体は本発明を構成することになる。
【００４８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４９】
また、上述のプログラムコードの指示に基づき、装置上で稼動しているＯＳ（基本システムやオペレーティングシステム）などが処理の一部又は全部を行い、その処理によって前述した実施形態の機能が実現される場合も含まれることは言うまでもない。
【００５０】
さらに、記憶媒体から読み出されたプログラムコードが、装置に挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図１】
2019032457.tif 000003
【図２】
2019032457.tif 000004
【図３】
2019032457.tif 000005
【図４】
2019032457.tif 000006